(57)【要約】【課題】一方側端子台を他方側端子台に当接させて固着することができず、一方側端子台を他方側端子台に固着する時の作業性が好ましくない状態となる課題があった。【解決手段】端子ネジ６の雄ネジ部８の長さ方向寸法ｂに対し、一方側端子台１の筒部３に凹設した収納部４の深さ方向寸法ａが大きい構成、すなわち、ａ＞ｂの関係となり、端子ネジ６の雄ネジ部８の全体が一方側端子台２５の筒部３の収納部４内に入り込んだ状態となる。一方側端子台１の板部２を他方側端子台１０の板部１１に当接した状態で、端子ネジ６の雄ネジ部８を他方側端子台１０に形成された雌ネジ部１２に螺入して一方側端子台１と他方側端子台１０とを固着させることができる。したがって、一方側端子台１を他方側端子台１０に固着する時の作業性が著しく好ましい状態とすることができるものである。【選択図】図２
2011027138.tif 000002
【特許請求の範囲】
【請求項１】
一方側端子台を他方側端子台にその他方側端子台に形成された雌ネジ部に端子ネジの雄ネジ部を螺入して固着させる端子装置において、
前記一方側端子台は、前記他方側端子台に当接される板部とこの板部の前記他方側端子台が当接される面と反対側の面に配設された筒部とから構成され、前記板部を貫通して前記筒部内に凹設され前記端子ネジの雄ネジ部を収納する収納部を有するとともに、前記筒部の前記板部と反対側の端部に前記収納部より小径で前記収納部に連通された雌ネジ部を有し、
前記端子ネジは、ネジ頭部と雄ネジ部および前記ネジ頭部と前記雄ネジ部とを連結し前記雄ネジ部の外形寸法よりも小さく形成された首下部とから構成されるとともに、前記雄ネジ部は前記筒部に形成された前記雌ネジ部に螺通されて前記筒部の前記収納部に収納されるよう構成され、
前記他方側端子台は、前記一方側端子台と当接する板部と前記端子ネジの前記雄ネジ部が螺入される雌ネジ部とから構成され、
前記端子ネジの前記雄ネジ部が前記一方側端子台の前記収納部に収納された位置のとき、前記雄ネジ部の先端部が前記一方側端子台の板部の端面より突出しない構成としたことを特徴とする端子装置。
【請求項２】
前記一方側端子台の前記他方側端子台側の面に配設された位置決め突起体を設け、前記他方側端子台に前記一方側端子台に配設された位置決め突起体が嵌合される位置決め嵌合部を設けたことを特徴とする請求項１記載の端子装置。
【請求項３】
前記一方側端子台の前記他方側端子台側の面に配設された位置決め突起体を設け、前記他方側端子台に前記一方側端子台に配設された位置決め突起体が挿通される位置決め嵌合部を設け、前記位置決め嵌合部内に配設され前記位置決め突起体を摺動させて挿通させる弾性摺動体を設けたことを特徴とする請求項１記載の端子装置。
【発明の詳細な説明】
【技術分野】
【０００１】
この発明は、一方側端子台を他方側端子台にその他方側端子台に形成された雌ネジ部に端子ネジを螺入して固着させる端子装置に関するものである。
【背景技術】
【０００２】
例えば、従来の端子装置としては図７および図８に示すようなものがある。図７は従来の端子装置を示す断面正面図である。図８は従来の端子装置を示す断面正面図である。これら各図において、２１は端子ネジであり、頭部２２と、先端ネジ部２３と、頭部２２と先端ネジ部２３との間に先端ネジ部２３より小径の首部２４とから構成されている。２５は例えば座金の機能を有する一方側端子台であり、端子ネジ２１の先端ネジ部２３側の位置にその先端ネジ部２３が十分に入り込むことができる大きい径の凹部２６が形成され、端子ネジ２１の頭部２２側の位置に端子ネジ２１の先端ネジ部２３が螺通する雌ネジ部２７が１山〜２山程度形成されている。２８は他方側端子台であり、端子ネジ２１の先端ネジ部２３が螺入される雌ネジ部２９が形成されている。
【０００３】
このように構成された従来の端子装置においては、端子ネジ２１の先端ネジ部２３を一方側端子台２５の雌ネジ部２７に螺通させることにより、先端ネジ部２３が一方側端子台２５の凹部２６に入り込む。先端ネジ部２３が一方側端子台２５の凹部２６に入り込んだ後の雌ネジ部２７には、先端ネジ部２３より小径の首部２４が挿通している。この状態においては、端子ネジ２１が一方側端子台２５から抜け出ることができないようになっている。
【先行技術文献】
【特許文献】
【０００４】
【特許文献１】特開昭６２−１４１３０４号公報
【発明の概要】
【発明が解決しようとする課題】
【０００５】
上述した従来の端子装置においては、端子ネジ２１の先端ネジ部２３の長さ方向寸法ｂに対し、一方側端子台２５の凹部２６の深さ方向寸法ａが小さい構成となっている。すなわち、図８に示すように、ａ＜ｂの関係となり、端子ネジ２１の先端ネジ部２３の全体が一方側端子台２５の凹部２６内に入り込まない状態となっている。その結果として、一方側端子台２５を他方側端子台２８に当接した状態で、端子ネジ２１の先端ネジ部２３を他方側端子台２８に形成された雌ネジ部２９に螺入して一方側端子台２５と他方側端子台２８とを固着させることができなかった。したがって、一方側端子台２５を他方側端子台２８に固着する時の作業性が好ましくない状態となる課題があった。
【０００６】
また、端子ネジ２１の先端ネジ部２３の先端部が一方側端子台２５の凹部２６端面より突出しているので、先端ネジ部２３の先端部を損傷してしまうという課題があった。
【０００７】
この発明は上記のような課題を解決するためになされたものであり、簡単な構成で一方側端子台を他方側端子台に固着する時の作業性を好ましい状態とすることができる端子装置を提供することを目的とする。
【課題を解決するための手段】
【０００８】
この発明に係わる端子装置は、一方側端子台を他方側端子台にその他方側端子台に形成された雌ネジ部に端子ネジの雄ネジ部を螺入して固着させる端子装置において、前記一方
側端子台は、前記他方側端子台に当接される板部とこの板部の前記他方側端子台が当接される面と反対側の面に配設された筒部とから構成され、前記板部を貫通して前記筒部内に凹設され前記端子ネジの雄ネジ部を収納する収納部を有するとともに、前記筒部の前記板部と反対側の端部に前記収納部より小径で前記収納部に連通された雌ネジ部を有し、前記端子ネジは、ネジ頭部と雄ネジ部および前記ネジ頭部と前記雄ネジ部とを連結し前記雄ネジ部の外形寸法よりも小さく形成された首下部とから構成されるとともに、前記雄ネジ部は前記筒部に形成された前記雌ネジ部に螺通されて前記筒部の前記収納部に収納されるよう構成され、前記他方側端子台は、前記一方側端子台と当接する板部と前記端子ネジの前記雄ネジ部が螺入される雌ネジ部とから構成され、前記端子ネジの前記雄ネジ部が前記一方側端子台の前記収納部に収納された位置のとき、前記雄ネジ部の先端部が前記一方側端子台の板部の端面より突出しない構成としたものである。
【発明の効果】
【０００９】
この発明に係わる端子装置は、簡単な構成で一方側端子台を他方側端子台に固着する時の作業性を好ましい状態とすることができる端子装置を得ることができる。
【図面の簡単な説明】
【００１０】
【図１】この発明の実施の形態１に係わる端子装置の一方側端子台を示す断面正面図である。
【図２】この発明の実施の形態１に係わる端子装置を示す断面正面図である。
【図３】この発明の実施の形態１に係わる端子装置を示す断面正面図である。
【図４】この発明の実施の形態１に係わる端子装置を示す断面正面図である。
【００１１】
【図５】この発明の実施の形態２に係わる端子装置を示す断面正面図である。
【図６】この発明の実施の形態３に係わる端子装置を示す断面正面図である。
【００１２】
【図７】従来の端子装置を示す断面正面図である。
【図８】従来の端子装置を示す断面正面図である。
【発明を実施するための形態】
【００１３】
実施の形態１.
以下、この発明の実施の形態１を図１ないし図４に基づいて説明する。図１はこの発明の実施の形態１に係わる端子装置の一方側端子台を示す断面正面図である。図２はこの発明の実施の形態１に係わる端子装置を示す断面正面図である。図３はこの発明の実施の形態１に係わる端子装置を示す断面正面図である。図４はこの発明の実施の形態１に係わる端子装置を示す断面正面図である。
【００１４】
これら各図において、１は一方側端子台であり、後述する他方側端子台１０に当接される板部２とこの板部２の他方側端子台１０が当接される面と反対側の面に配設された筒部３とから構成され、板部２を貫通して筒部３内に凹設され後述する端子ネジ６の雄ネジ部８を収納する収納部４を有するとともに、筒部３の板部２と反対側の端部に収納部４より小径で収納部４に連通された雌ネジ部５を有している。６は端子ネジであり、ネジ頭部７と雄ネジ部８およびネジ頭部７と雄ネジ部８とを連結し雄ネジ部８の外形寸法よりも小さく形成された首下部９とから構成されるとともに、雄ネジ部８は筒部３に形成された雌ネジ部５に螺通されて筒部３の収納部４に収納されるよう構成されている。
【００１５】
１０は他方側端子台であり、一方側端子台１と当接する板部１１と端子ネジ６の雄ネジ部８が螺入される雌ネジ部１２とから構成されている。端子ネジ６の雄ネジ部８が一方側端子台１の収納部４に収納された位置のとき、雄ネジ部８の先端部が一方側端子台１の板部２の端面より他方側端子台１０側に突出しない構成とされている。また、端子ネジ６の
雄ネジ部８が螺通する筒部３の雌ネジ部５には１山〜２山程度の雌ネジが形成されている。
【００１６】
次に動作について説明する。上述した実施の形態１による端子装置においては、図２に示すように、一方側端子台１の筒部３に形成した雌ネジ部５に端子ネジ６の雄ネジ部８を螺通していき、端子ネジ６の雄ネジ部８全体が螺通しきった状態となったときは、端子ネジ６は一方側端子台１の筒部３からは抜け出ることはできなくなる。また、端子ネジ６の雄ネジ部８全体は例えば一方側端子台１の筒部３に形成した収納部４内に収納された状態であり、端子ネジ６の雄ネジ部８の先端部が一方側端子台１の板部２の端面より他方側端子台１０側に突出しない構成としている。
【００１７】
図２は一例として、端子ネジ６の雄ネジ部８の長さ方向寸法ｂに対し、一方側端子台１の筒部３に凹設した収納部４の深さ方向寸法ａが大きい構成としている。すなわち、ａ＞ｂの関係となり、端子ネジ６の雄ネジ部８の全体が一方側端子台２５の筒部３の収納部４内に入り込んだ状態となっている。その結果として、一方側端子台１の板部２を他方側端子台１０の板部１１に当接した状態で、図３および図４に示すように、端子ネジ６の雄ネジ部８を他方側端子台１０に形成された雌ネジ部１２に螺入して一方側端子台１と他方側端子台１０とを固着させることができる。したがって、一方側端子台１を他方側端子台１０に固着する時の作業性が著しく好ましい状態とすることができる効果を奏する。
【００１８】
また、端子ネジ６の雄ネジ部８の先端部が一方側端子台１の板部２の端面より他方側端子台１０側に突出しない構成としているので、端子ネジ６の雄ネジ部８の先端部を損傷することもなく、信頼性の高い端子装置を得ることができる。
【００１９】
なお、図２に示す例では、端子ネジ６の雄ネジ部８の長さ方向寸法ｂに対し、一方側端子台１の筒部３に凹設した収納部４の深さ方向寸法ａが大きい構成としている。すなわち、ａ＞ｂの関係となる場合について述べたが、これに限定されるものではなく、例えば、端子ネジ６の雄ネジ部８の長さ方向寸法ｂと一方側端子台１の筒部３に凹設した収納部４の深さ方向寸法ａを同等に構成とすることもできる。すなわち、ａ＝ｂの関係となるように構成した場合についても上述した実施の形態１と同様の効果を奏する。要するに、ａ≧ｂの関係を有するように構成すればよい。
【００２０】
実施の形態２.
この発明の実施の形態２を図５に基づいて説明する。図５はこの発明の実施の形態２に係わる端子装置を示す断面正面図である。
【００２１】
この実施の形態２においては、一方側端子台１の板部２の他方側端子台１０側の面に配設された位置決め突起体１３を設け、他方側端子台１０に一方側端子台１の板部２に配設された位置決め突起体１３が嵌合される位置決め嵌合部１４を設けたものである。
【００２２】
この実施の形態２によれば、一方側端子台１の筒部３に形成した雌ネジ部５に端子ネジ６の雄ネジ部８を螺通していき、端子ネジ６の雄ネジ部８全体が螺通しきった状態となったときは、端子ネジ６は一方側端子台１の筒部３からは抜け出ることはできなくなる。また、端子ネジ６の雄ネジ部８全体は例えば一方側端子台１の筒部３に形成した収納部４内に収納された状態であり、端子ネジ６の雄ネジ部８の先端部が一方側端子台１の板部２の端面より他方側端子台１０側に突出しない構成としている。そして、一方側端子台１の板部２の他方側端子台１０側の面に配設した位置決め突起体１３を他方側端子台１０に設けた位置決め嵌合部１４に挿通して一方側端子台１の板部２を他方側端子台１０の板部１１に当接させる。これにより、端子ネジ６の雄ネジ部８の軸心位置と他方側端子台１０の雌ネジ部１２の軸心位置の位置決めを行うことができるので、上述した実施の形態１よりさ
らに作業性が向上せることができる。
【００２３】
実施の形態３.
この発明の実施の形態３を図６に基づいて説明する。図６はこの発明の実施の形態３に係わる端子装置を示す断面正面図である。
【００２４】
この実施の形態３においては、一方側端子台１の板部２の他方側端子台１０側の面に配設された位置決め突起体１５を設け、他方側端子台１０に一方側端子台１の板部２に配設された位置決め突起体１５が嵌合される位置決め嵌合部１６を設け、位置決め嵌合部１６内に配設され位置決め突起体１５を摺動させて挿通させる弾性摺動体１７を設けたものである。
【００２５】
この実施の形態３によれば、一方側端子台１の筒部３に形成した雌ネジ部５に端子ネジ６の雄ネジ部８を螺通していき、端子ネジ６の雄ネジ部８全体が螺通しきった状態となったときは、端子ネジ６は一方側端子台１の筒部３からは抜け出ることはできなくなる。また、端子ネジ６の雄ネジ部８全体は例えば一方側端子台１の筒部３に形成した収納部４内に収納された状態であり、端子ネジ６の雄ネジ部８の先端部が一方側端子台１の板部２の端面より他方側端子台１０側に突出しない構成としている。そして、一方側端子台１の板部２の他方側端子台１０側の面に配設した位置決め突起体１５を他方側端子台１０に設けた位置決め嵌合部１６に挿通するとともに、位置決め突起体１５は位置決め嵌合部１６内に配設された弾性摺動体１７間を摺動して挿通して一方側端子台１の板部２を他方側端子台１０の板部１１に当接させる。この弾性摺動体１７が有する弾性力により位置決め突起体１５の例えば図６における上下方向の微動が可能となる。これにより、端子ネジ６の雄ネジ部８の軸心位置と他方側端子台１０の雌ネジ部１２の軸心位置に微小の誤差が生じたとしても容易に位置決めを行うことができるので、上述した各実施の形態よりもさらに作業性が向上せることができる。
【００２６】
なお、上述した実施の形態２，３において、位置決め突起体１３，１５を一方側端子台１に設け、位置決め嵌合部１４，１６を他方側端子台１０に設けた場合について述べたが、位置決め突起体１３，１５を一方側端子台１に接続される部材（図示せず）に設け、位置決め嵌合部１４，１６を他方側端子台１０に接続される部材（図示せず）に設けることも可能である。
【００２７】
また、上述した各実施の形態において、一方側端子台１を構成する板部２と筒部３が一体構成物により構成された場合について述べたが、これに限定されるものではなく、板部２と筒部３とを別体構成物として一方側端子台１を構成するようにしてもよく、各実施の形態と同様の効果を奏する。
【産業上の利用可能性】
【００２８】
この発明は、簡単な構成で一方側端子台を他方側端子台に固着する時の作業性を好ましい状態とすることができる端子装置の実現に好適である。
【符号の説明】
【００２９】
１  一方側端子台                      ２  板部
３  筒部                              ４  収納部
５  雌ネジ部                          ６  端子ネジ
７  ネジ頭部                          ８  雄ネジ部
９  首下部                            １０  他方側端子台
１１  板部                            １２  雌ネジ部
１３  位置決め突起体                  １４  位置決め嵌合部
１５  位置決め突起体                  １４  位置決め嵌合部
１７  弾性摺動体
【図１】
2011027138.tif 000003
【図２】
2011027138.tif 000004
【図３】
2011027138.tif 000005
【図４】
2011027138.tif 000006
【図５】
2011027138.tif 000007
【図６】
2011027138.tif 000008
【図７】
2011027138.tif 000009
【図８】
2011027138.tif 000010